(57)【特許請求の範囲】
【請求項１】
商品に商品コードを付加する複数のコード付加装置のコード付加状況をそれぞれ表示する複数のコード付加情報表示端末と、前記商品コードを管理するコード管理センタで用いられるコード管理端末とを含むコード付加状況管理システムであって、
前記コード管理端末は、
前記複数のコード付加情報表示端末にそれぞれ割り与えられている端末ＩＤのいずれかを提示して表示画像の送信を依頼する画像送信依頼手段と、
表示画像の送信依頼に応じて送られてきた画像を表示する画像表示手段とを有し、
前記複数のコード付加情報表示端末は、それぞれ、前記コード管理端末から通信ネットワークを介して自己に割り与えられた端末ＩＤを提示した表示画像の送信依頼に応じて、表示しているコード付加状況画像を前記コード管理端末に送信する画像送信手段を有し、
前記画像送信依頼手段は、あらかじめ定められた画像切換条件が成立する毎に、あらかじめ定められた選択条件に従って端末ＩＤを選択し、選択した端末ＩＤが割り当てられているコード付加情報表示端末に対して、選択した端末ＩＤを提示して表示画像の送信を依頼する
ことを特徴とするコード付加状況管理システム。
【請求項２】
画像切換条件は、所定時間が経過したときに成立するように設定されている
請求項１記載のコード付加状況管理システム。
【請求項３】
選択条件は、複数のコード付加情報表示端末が順番に選択されるように設定されている
請求項１または請求項２記載のコード付加状況管理システム。
【請求項４】
コード付加情報表示端末は、コード付加装置のコード付加状況として、商品に付加した商品コードと、付加した商品コードの総数と、単位時間あたりに付加した商品コードの数とのうち、少なくとも何れか１つをリアルタイムに表示する
請求項１から請求項３のうちいずれかに記載のコード付加状況管理システム。
【請求項５】
各コード付加情報表示端末は、それぞれ、自己に接続されたメモリ装置に格納されている端末ＩＤを、自己に割り与えられた端末ＩＤであると認識する
請求項１から請求項４のうちいずれかに記載のコード付加状況管理システム。
【発明の詳細な説明】
【技術分野】
【０００１】
本発明は、商品に商品コードを付加する複数のコード付加装置のコード付加状況をそれぞれ表示する複数のコード付加情報表示端末と、商品コードを管理するコード管理センタで用いられるコード管理端末とを含むコード付加状況管理システムに関する。
【背景技術】
【０００２】
近年、卵を購入した消費者等に対して、その卵の生産・流通履歴をインターネットなどの通信ネットワークを介して提供するトレーサビリティシステムが利用されるようになってきている。
【０００３】
トレーサビリティシステムでは、卵が収容されるパック等の容器に印字されたコード（鶏卵検索コード）を検索キーとすることで、その卵の生産・流通履歴を検索し閲覧することが可能となる。
【０００４】
従来から、卵選別包装施設（ＧＰセンタ）において、鶏卵の選別や包装を行うとともに、卵が収容される容器にトレーサビリティシステムにて利用される鶏卵検索コードを印字し、印字された鶏卵検索コードに基づいて該当する卵の生産・流通履歴を提供するシステムが提案されている（例えば、特許文献１参照）。
【０００５】
【特許文献１】特開２００４−３４４０４０号公報
【発明の開示】
【発明が解決しようとする課題】
【０００６】
ＧＰセンタにおいて適正に鶏卵検索コードが付加されているか否かを検査するためには、ＧＰセンタからの自己申告では信頼性が低いため、検査員が各地に設けられているＧＰセンタに出向き、鶏卵検索コードの印字装置に接続されているモニタに表示されている鶏卵検索コードの付加状況を確認する必要が生じ、検査に多大に時間を要するという問題があった。
【０００７】
本発明は、上述した問題を解消し、商品コードが適正に付加されているかを示すコード付加状況についての信頼性の高い検査を短時間で行うことが可能なコード付加状況管理システムを提供することを目的とする。
【課題を解決するための手段】
【０００８】
本発明のコード付加状況管理システムは、商品に商品コードを付加する複数のコード付加装置のコード付加状況をそれぞれ表示する複数のコード付加情報表示端末と、前記商品コードを管理するコード管理センタで用いられるコード管理端末とを含むコード付加状況管理システムであって、前記コード管理端末は、前記複数のコード付加情報表示端末にそれぞれ割り与えられている端末ＩＤのいずれかを提示して表示画像の送信を依頼する画像送信依頼手段と、表示画像の送信依頼に応じて送られてきた画像を表示する画像表示手段とを有し、前記複数のコード付加情報表示端末は、それぞれ、前記コード管理端末から通信ネットワークを介して自己に割り与えられた端末ＩＤを提示した表示画像の送信依頼に応じて、表示しているコード付加状況画像を前記コード管理端末に送信する画像送信手段を有し、前記画像送信依頼手段は、あらかじめ定められた画像切換条件が成立する毎に、あらかじめ定められた選択条件に従って端末ＩＤを選択し、選択した端末ＩＤが割り当てられているコード付加情報表示端末に対して、選択した端末ＩＤを提示して表示画像の送信を依頼することを特徴とする。
【０００９】
上記のように構成したことで、商品コードが適正に付加されているかを示すコード付加状況についての信頼性の高い検査を短時間で行うことができるようになる。
【００１０】
画像切換条件は、例えば、所定時間が経過したときに成立するように設定されている。選択条件は、例えば、複数のコード付加情報表示端末が順番に選択されるように設定されている。
【００１１】
コード付加情報表示端末は、コード付加装置のコード付加状況として、商品に付加した商品コードと、付加した商品コードの総数と、単位時間あたりに付加した商品コードの数とのうち、少なくとも何れか１つをリアルタイムに表示する構成とされていてもよい。
【００１２】
各コード付加情報表示端末は、それぞれ、自己に接続されたメモリ装置（例えば、ＵＳＢメモリ、ＳＤカード、メモリースティックなどの着脱可能なメモリ媒体）に格納されている端末ＩＤを、自己に割り与えられた端末ＩＤであると認識する構成とされていてもよい。
【発明の効果】
【００１３】
本発明によれば、商品コードが適正に付加されているかを示すコード付加状況についての信頼性の高い検査を短時間で行うことが可能なコード付加状況管理システムを提供することができる。
【発明を実施するための最良の形態】
【００１４】
以下、本発明の一実施の形態について図面を参照して説明する。
図１は、本発明の一実施の形態におけるコード付加状況管理システム１００の構成の例を示すブロック図である。図１に示すように、コード付加状況管理システム１００は、コード管理端末１０と、複数のＧＰセンタ端末２０〜２Ｎ（Ｎ＝１，２，３、・・・）とを含む。
【００１５】
コード管理端末１０、および複数のＧＰセンタ端末２０〜２Ｎは、それぞれ、例えばインターネットなどの通信ネットワーク３０に接続されている。
【００１６】
コード管理端末１０は、鶏卵などの商品あるいは商品の包装に付加される商品コードを管理する管理センタで用いられ、例えばコード付加状況管理システム１００のシステム管理者によって管理されるパーソナルコンピュータなどの情報処理装置である。なお、管理センタには、通信ネットワークを介して商品コードを各ＧＰセンタに配布するための機能等を有するサーバ装置が備えられている。
【００１７】
ＧＰセンタ端末２０〜２Ｎは、それぞれ、例えば各地に設けられているＧＰセンタの管理者によって管理されるパーソナルコンピュータなどの情報処理装置である。各ＧＰセンタ端末２０〜２Ｎには、ＧＰセンタにて用いられる鶏卵検索コードの印字装置が接続され、自己が備える表示装置に印字装置の印字状況（コード付与状況）を表示する機能を有する。
【００１８】
表示装置に表示されるコード付与状況には、例えば、鶏卵あるいは鶏卵の包装に付加した鶏卵検索コード、印字作業を開始してから現在までに鶏卵あるいは鶏卵の包装に付加した鶏卵検索コードの総数、単位時間（例えば１分、１時間）あたりに付加した商品コードの数などが含まれる。表示装置には、時間経過とともに進行していくコード付与状況が、リアルタイムに表示される。
【００１９】
図２は、ＧＰセンタＩＤ割当テーブルの例を示す説明図である。ＧＰセンタＩＤ割当テーブルは、各ＧＰセンタ端末２０〜２Ｎのいずれかを示すＧＰセンタ端末名と、各ＧＰセンタ端末２０〜２Ｎそれぞれに割り当てられたＧＰセンタ端末ＩＤとが対応付けされたテーブルである。ＧＰセンタＩＤ割当テーブルは、コード管理端末１０が備える図示しないＤＢに格納される。なお、各ＧＰセンタ端末２０〜２Ｎが備えるＤＢには、自己に割り当てられたＧＰセンタ端末ＩＤがあらかじめ登録されているものとする。なお、ＧＰセンタＩＤ割当テーブルには、図２には示されていないが、ＧＰセンタ端末を通信ネットワーク３０上で特定するためのアドレスもそれぞれ対応付けされて登録されている。
【００２０】
次に、本例のコード付加状況管理システム１００の動作について説明する。
図３は、本例のコード付加状況管理システム１００におけるコード付加状況管理処理の例を示すフローチャートである。コード付加状況管理処理において、コード管理端末１０は、先ず、例えば図４に示すような管理処理テーブルに従って、ＧＰセンタ端末ＩＤを選択する（ステップＳ１０１）。なお、コード付加状況管理処理は、本例では、あらかじめ定められた時刻になると開始される。ここでは、図４に示す管理処理テーブルに従って、９時になると処理が開始され、ステップＳ１０１にてＧＰセンタ端末ＩＤ「ＧＰ００１」が選択されるものとする。また、本例では、９時になると各ＧＰセンタにて鶏卵検索コードの印字処理が開始されるものとする。
【００２１】
次いで、コード管理端末１０は、選択したＧＰセンタ端末ＩＤが割り当てられているＧＰセンタ端末に対して、選択したＧＰセンタ端末ＩＤを提示して通信ネットワーク３０を介して画像送信依頼を行う（ステップＳ１０２）。画像送信依頼を受けたＧＰセンタ端末は、提示されたＧＰセンタ端末ＩＤが自己に割り当てられているＧＰセンタ端末ＩＤであるか否かを確認し、自己に割り当てられているＧＰセンタ端末ＩＤであれば、自己が備える表示装置に表示されているコード付加状況画像を通信ネットワーク３０を介してコード管理端末１０に対して送信する。
【００２２】
コード管理端末１０は、ＧＰセンタ端末から通信ネットワーク３０を介して受信したコード付加状況画像を、自己が備える表示装置に表示する（ステップＳ１０３）。すなわち、コード管理端末１０が備える表示装置には、所定時間が経過するまで（ステップＳ１０４のＮ）、ＧＰセンタ端末が備える表示装置に表示されているコード付加状況画像と同じ画像が継続的に表示される。
【００２３】
次いで、コード管理端末１０は、例えば図４に示すような管理処理テーブルに従って、所定時間が経過すると（ステップＳ１０４のＹ）、次に選択すべきＧＰセンタ端末ＩＤが設定されていれば（ステップＳ１０５のＮ）、そのＧＰセンタ端末ＩＤに使用ＩＤを更新し（ステップＳ１０６）、ステップＳ１０２に戻る。一方、次に選択すべきＧＰセンタ端末ＩＤが設定されていなければ（ステップＳ１０５のＹ）、ここでの管理処理を終了する。
【００２４】
上記のようにして、ＧＰセンタ端末ＩＤを順次更新していき、各ＧＰセンタ端末２０〜２Ｎにて表示されているコード付加状況画像をコード管理端末１０に順次表示していく。図４に示すような管理処理テーブルを用いた場合には、コード管理端末１０が備える表示装置に、９時〜９時３０分までＧＰセンタ端末ＩＤ「ＧＰ００１」の例えばＧＰセンタ端末２０にて表示されているコード付加状況画像が表示され、９時３０分〜１０時までＧＰセンタ端末ＩＤ「ＧＰ００２」の例えばＧＰセンタ端末２１にて表示されているコード付加状況画像が表示され、１０時〜１０時３０分までＧＰセンタ端末ＩＤ「ＧＰ００３」のＧＰセンタ端末にて表示されているコード付加状況画像が表示され、その後もコード付加状況画像が順次切換表示されていき、全てのＧＰセンタ端末２０〜２Ｎにて表示されているコード付加状況画像が所定期間ずつ表示される。
【００２５】
そして、管理センタの検査員は、コード管理端末１０が備える表示装置に順次切換表示される各ＧＰセンタ端末２０〜２Ｎでのコード付加状況画像を監視し、各ＧＰセンタにて鶏卵検索コードが適正に付加されているか否かを判断する。
【００２６】
以上に説明したように、上述した一実施の形態では、コード管理端末１０が、複数のＧＰセンタ端末（コード付加情報表示端末）２０〜２Ｎにそれぞれ割り与えられているＧＰセンタ端末ＩＤ（端末ＩＤ）のいずれかを提示して表示画像の送信を依頼する機能と、表示画像の送信依頼に応じて送られてきた画像を自己が備える表示装置に表示する機能とを有し、複数のＧＰセンタ端末２０〜２Ｎが、それぞれ、自己に割り与えられたＧＰセンタ端末ＩＤを提示したコード管理端末１０からの表示画像の送信依頼に応じて、表示しているコード付加状況画像をコード管理端末１０に送信する機能を有し、コード管理端末１０が、あらかじめ定められた画像切換条件が成立する毎（例えば図４に示すモニタ時間が経過する毎）に、あらかじめ定められた選択条件に従ってＧＰセンタ端末ＩＤを選択（図４に設定されている順番で選択）し、選択したＧＰセンタ端末ＩＤが割り当てられているＧＰセンタ端末に対して、選択したＧＰセンタ端末ＩＤを提示して表示画像の送信を依頼する構成としているので、鶏卵検索コードが適正に付加されているかを示すコード付加状況についての信頼性の高い検査を短時間で行うことができるようになる。
【００２７】
すなわち、検査員は、各ＧＰセンタに出向くことなく、管理センタに設置されているコード管理端末１０に順次切換表示されていく各ＧＰセンタ端末２０〜２Ｎでのコード付加状況画像をモニタリングすることで、短時間で検査を行うことができる。また、ＧＰセンタ側の自己申告に頼らず、検査員による厳格な検査を行うことができるので、検査結果は信頼性の高いものとなる。
【００２８】
なお、上述した実施の形態では、所定時刻となったときにＧＰセンタ端末ＩＤを更新してコード付加状況画像を切り替える構成としていたが、所定時間毎（例えば３０分毎）にＧＰセンタ端末ＩＤを更新してコード付加状況画像を切り替えるようにしてもよい。
【００２９】
また、上述した実施の形態では、あらかじめ定められた順番でＧＰセンタ端末ＩＤが選択されるようにしていたが、ランダムな順番で選択するようにしてもよい。このように構成すれば、各ＧＰセンタにおいて、自己のＧＰセンタ端末がモニタリングされる時間を予測することができなくなるため、検査結果がより信頼性の高いものとなる。
【００３０】
また、上述した実施の形態では、各ＧＰセンタ端末が備えるＤＢにＧＰセンタ端末ＩＤを登録しておく構成としていたが、ＧＰセンタ端末ＩＤが格納されたＵＳＢ接続装置をＧＰセンタ端末のＵＳＢ接続端子に接続することで、自己に割り当てられているＧＰセンタ端末ＩＤをＧＰセンタ端末が確認可能となるようにするようにしてもよい。また、ＵＳＢ端子差込型のメモリに限らず、ＳＤカード、メモリースティックなどの着脱可能なメモリ媒体を用いるようにしてもよい。
【００３１】
また、上述した一実施の形態では、鶏卵検索コードの付加状況を検査する例について説明したが、鶏卵以外の商品についての商品コードの付加状況を検査するものであってもよい。具体的には、例えば食肉（牛肉、豚肉）の計量・包装・商品コード印字ラインが設けられた食肉選別包装施設に設置される端末に表示されるコード付加状況画像を管理センタの端末でモニタリングされるものであってもよい。
【００３２】
また、上述した一実施の形態では、管理センタに設けられるコード管理端末が１つの場合を例に説明したが、管理センタに設けられるコード管理端末は複数であってもよい。また、管理センタが複数あり、各管理センタそれぞれの各コード管理端末をシステム１００に含む構成としてもよい。さらに、複数のコード管理端末それぞれで切換表示されるコード付加状況画像を、上位のコード管理端末によりモニタリングするようにしてもよい。
【産業上の利用可能性】
【００３３】
本発明によれば、商品コードが適正に付加されているかを示すコード付加状況についての信頼性の高い検査を短時間で行うために有用である。
【図面の簡単な説明】
【００３４】
【図１】本発明の一実施の形態におけるコード付加状況管理システムの構成の例を示すブロック図である。
【図２】ＧＰセンタＩＤ割当テーブルの例を示す説明図である。
【図３】コード付加状況管理処理の例を示すフローチャートである。
【図４】管理処理テーブルの例を示す説明図である。
【符号の説明】
【００３５】
１０        コード管理端末
２０〜２Ｎ  ＧＰセンタ端末
３０        通信ネットワーク
１００      コード付加状況管理システム
【図１】
0004831676.tif 000002
【図２】
0004831676.tif 000003
【図３】
0004831676.tif 000004
【図４】
0004831676.tif 000005